(57)【要約】【課題】  リアルタイムでデータのバックアップを実行し、作業の簡易化を達成して好ましいデータ保護の効果を達成するハードディスクの自動バックアップシステムを提供する。【解決手段】  システム伝送インタフェースと、該システム伝送インタフェースを介してＣＰＵに接続するとともに、バックアップディスク接続ポート及びシステムディスクポートの２つに分岐する接続ポートを具えるシステムディスク接続ポートと、該システムディスク接続ポートを介して該ブリッジ制御ユニットに接続するシステムディスク、及び該バックアップディスク接続ポートを介して該ブリッジ制御ユニットに接続するバックアップディスクとによってなるハードディスクモジュールとを含んでなり、該ＣＰＵがコンピュータシステムのワークを実行すると、該バックアップディスクにリアルタイムでバックアップするか、データを新規作成するように構成する。【選択図】  図１
0003115082.tif 000002
【実用新案登録請求の範囲】
【請求項１】
システム伝送インタフェースと、
該システム伝送インタフェースを介して中央演算処理装置に接続するとともに、バックアップディスク接続ポート及びシステムディスクポートの２つに分岐する接続ポートを具えるシステムディスク接続ポートと、
該システムディスク接続ポートを介して該ブリッジ制御ユニットに接続するシステムディスク、及び該バックアップディスク接続ポートを介して該ブリッジ制御ユニットに接続するバックアップディスクとによってなるハードディスクモジュールとを含んでなり、
該中央演算処理装置がコンピュータシステムのワークを実行すると、該バックアップディスクにリアルタイムでバックアップするか、もしくはデータを新規作成するように構成することを特徴とするハードディスクのリアルタイム自動バックアップシステム。
【請求項２】
前記ハードディスクモジュールのシステムディスクとバックアップディスクにおけるバックアップ、もしくはデータの新規作成が、２つのハードディスクの間におけるバックアップか、データの新規作成であるか、もしくはハードディスクの異なる領域の間のバックアップ、もしくはデータの新規作成であることを特徴とする請求項１に記載のハードディスクのリアルタイム自動バックアップシステム。
【請求項３】
前記ハードディスクモジュールのシステムディスクか、バックアップディスクのいずれか一方に異状が発生した場合、該ブリッジ制御ユニットが他のシステムディスク、もしくはバックアップディスクに切り換えて正常なワークを継続して行い、かつシステムディスク、もしくはバックアップディスクをリセットし、かつリセットしたシステムディスク、もしくはバックアップディスクを自動的に検査してバックアップ、またはデータの新規作成を行うことを特徴とする請求項１に記載のハードディスクのリアルタイム自動バックアップシステム。
【請求項４】
前記ブリッジ制御ユニットがさらに表示及びアラームモジュールに接続し、該表示及びアラームモジュールによってシステムディスクとバックアップディスクの状態を表示し、かつシステムディスクか、バックアップディスクに異状が発生した場合にランプ、もしくはブザーなどでアラームを発生させることを特徴とする請求項１、もしくは請求項３に記載のハードディスクのリアルタイム自動バックアップシステム。
【請求項５】
前記システム伝送インタフェースがＩＤＥか、ＳＡＴＡか、もしくはＳＣＳＩインタフェースであることを特徴とする請求項１に記載のハードディスクのリアルタイム自動バックアップシステム。
【考案の詳細な説明】
【技術分野】
【０００１】
この発明はハードディスクシステムに関し、特にリアルタイムで自動的にバックアップを行う機能を具えるハードディスクの自動バックアップシステムに関する。
【背景技術】
【０００２】
コンピュータのユーザーにとって、データのバックアップは極めて重要な作業である。従来の方法によれば、磁気ディスク、もしくは光ディスクによってデータをバックアップするが、容量が少なく、アクセス速度が遅く、また保存の仕方にも問題があり、かかる方法はすでに行われることが少なくなった。目下、普及している方法はハードディスクをバックアップのツールとしてデータを保存する方法である。ハードディスクでデータをバックアップする方法は、概ね次に掲げるとおりである。
【０００３】
ハードディスクを利用してデータをバックアップする一種の方法として、本来のソースディスクの内容を直接ターゲットディスクに複写する方法が挙げられる。係る方法はハードディスク対ハードディスクの直接の複写であるか、もしくはファイル対ファイルの対応する複写であって、最も簡単な方法といえる。但し、人の手によって経時的、もしくは定期的に、ファイル毎のデータを逐一ソースディスクからターゲットディスクに複写しなければならない。したがって時間と労力を費やす方法と言える。また、人的な要因で一部のデータの複写を忘れることもある。
【０００４】
ハードディスクを利用してデータをバックアップする他の方法として、コンピュータ本体のシステムに、ディスクシステムとは独立して、ハードディスク装置を制御テーブルとして設ける方法が挙げられる。係る方法は比較的進んだリアルタイム式のバックアップ方法である。該ハードディスク装置は、ワークディスクと、バックアップディスクである２つのハードディスクに接続し、コンピュータ本体が該ワークディスクに対してデータの更新を行う場合、バックアップディスクに対しても同時にデータの更新を行う。したがって、如何なる時であろうと、該２つのハードディスクの内容は一致する。
【０００５】
しかしながら、前記の方法によれば、バックアップを行うために、２つのハードディスクを購入してシステムによるバックアップに提供しなければならない。係る消費は大きな負担となり、ユーザーにとって不経済である。
【考案の開示】
【考案が解決しようとする課題】
【０００６】
この考案は、労力と時間を費やすことなく、また人的要因によるバックアップ漏れが発生することなく、かつリアルタイムでデータのバックアップを実行し、バックアップ作業の簡易化を達成して好ましいデータ保護の効果が得られるハードディスクのリアルタイム自動バックアップシステムを提供することを課題とする。
【０００７】
また、この考案は２つのハードディスクを具えなくてもデータのバックアップを行うことができ、経済的な利点の得られるハードディスクのリアルタイム自動バックアップシステムを提供することを課題とする。
【０００８】
また、この考案はハードディスクを自動的に検査し、異状を感知した場合にアラームを発するとともに、他の正常なハードディスクに切り換えて正常な運行を保持することによってシステム自身の保護を達成するハードディスクのリアルタイム自動バックアップシステムを提供することを課題とする。
【課題を解決するための手段】
【０００９】
そこで、本考案者は従来の技術に鑑み鋭意研究を重ねた結果、システム伝送インタフェースと、該システム伝送インタフェースを介して中央演算処理装置に接続するとともに、バックアップディスク接続ポート及びシステムディスクポートの２つに分岐する接続ポートを具えるシステムディスク接続ポートと、
該システムディスク接続ポートを介して該ブリッジ制御ユニットに接続するシステムディスク、及び該バックアップディスク接続ポートを介して該ブリッジ制御ユニットに接続するバックアップディスクとによってなるハードディスクモジュールとを含んでなり、該中央演算処理装置がコンピュータシステムのワークを実行すると、該バックアップディスクにリアルタイムでバックアップするか、もしくはデータを新規作成するように構成してなるハードディスクのリアルタイム自動バックアップシステムによって課題を解決できる点に着眼し、かかる知見に基づいて本考案を完成させた。
【００１０】
以下この考案について具体的に説明する。
請求項１に記載するハードディスクのリアルタイム自動バックアップシステムは、システム伝送インタフェースと、
該システム伝送インタフェースを介して中央演算処理装置に接続するとともに、バックアップディスク接続ポート及びシステムディスクポートの２つに分岐する接続ポートを具えるシステムディスク接続ポートと、
該システムディスク接続ポートを介して該ブリッジ制御ユニットに接続するシステムディスク、及び該バックアップディスク接続ポートを介して該ブリッジ制御ユニットに接続するバックアップディスクとによってなるハードディスクモジュールとを含んでなり、
該中央演算処理装置がコンピュータシステムのワークを実行すると、該バックアップディスクにリアルタイムでバックアップするか、もしくはデータを新規作成するように構成する。
【００１１】
請求項２に記載するハードディスクのリアルタイム自動バックアップシステムは、請求項１におけるハードディスクモジュールのシステムディスクとバックアップディスクにおけるバックアップ、もしくはデータの新規作成が、２つのハードディスクの間におけるバックアップか、データの新規作成であるか、もしくはハードディスクの異なる領域の間のバックアップ、もしくはデータの新規作成である。
【００１２】
請求項３に記載するハードディスクのリアルタイム自動バックアップシステムは、請求項１におけるハードディスクモジュールのシステムディスクか、バックアップディスクのいずれか一方に異状が発生した場合、該ブリッジ制御ユニットが他のシステムディスク、もしくはバックアップディスクに切り換えて正常なワークを継続して行い、かつシステムディスク、もしくはバックアップディスクをリセットし、かつリセットしたシステムディスク、もしくはバックアップディスクを自動的に検査してバックアップ、またはデータの新規作成を行う。
【００１３】
請求項４に記載するハードディスクのリアルタイム自動バックアップシステムは、請求項１か、請求項３におけるブリッジ制御ユニットがさらに表示及びアラームモジュールに接続し、該表示及びアラームモジュールによってシステムディスクとバックアップディスクの状態を表示し、かつシステムディスクか、バックアップディスクに異状が発生した場合にランプ、もしくはブザーなどでアラームを発生させる。
【００１４】
請求項５に記載するハードディスクのリアルタイム自動バックアップシステムは、請求項１におけるシステム伝送インタフェースがＩＤＥか、ＳＡＴＡか、もしくはＳＣＳＩインタフェースである。
【考案の効果】
【００１５】
この考案によるハードディスクの自動バックアップシステムは、労力と時間を費やすことなく、また人的要因によるバックアップ漏れが発生することなく、かつリアルタイムでデータのバックアップを実行し、バックアップ作業の簡易化を達成して好ましいデータ保護の効果が得られるといった利点を有する。
【００１６】
また、この考案によるハードディスクの自動バックアップシステムは２つのハードディスクを具えなくてもデータのバックアップを行うことができ、経済的な利点が得られるとともに、ハードディスクを自動的に検査し、異状を感知した場合にアラームを発するとともに、他の正常なハードディスクに切り換えて正常な運行を保持することによってシステム自身の保護を達成するという利点を有する。
【００１７】
さらに、この考案によるハードディスクのリアルタイム自動バックアップシステムは、コンピュータシステムに連結し、ブリッジ制御ユニットによってＭＩＲＲＯＲ／ＲＥＢＲＵＬＩＤ技術を応用してバックアップディスクにバックアップを行うか、データの新規作成を行うため、アプリケーションプログラムによるサポートを必要とせず、如何なる設定、もしくはフォーマット化も必要しないため、扱いが容易システムで、かつ設置する環境、条件、またはその他特殊な要求などもなく、好ましい利便性と互換性変えられるといった利点を有する。
【考案を実施するための最良の形態】
【００１８】
この考案は、ハードディスクの自動バックアップシステムを提供するものであって、システム伝送インタフェースと、該システム伝送インタフェースを介して中央演算処理装置に接続するとともに、バックアップディスク接続ポート及びシステムディスクポートの２つに分岐する接続ポートを具えるシステムディスク接続ポートと、該システムディスク接続ポートを介して該ブリッジ制御ユニットに接続するシステムディスク、及び該バックアップディスク接続ポートを介して該ブリッジ制御ユニットに接続するバックアップディスクとによってなるハードディスクモジュールとを含んでなり、該中央演算処理装置がコンピュータシステムのワークを実行すると、該バックアップディスクにリアルタイムでバックアップするか、もしくはデータを新規作成するように構成することによって、労力と時間を費やすことなく、また人的要因によるバックアップ漏れが発生することなく、かつリアルタイムでデータのバックアップを実行し、バックアップ作業の簡易化を達成して好ましいデータ保護の効果を達成するという目的を実現した。
かかる構成のハードディスクの自動バックアップシステムの構造と特徴について、具体的な実施例を挙げ、図面を参照にして以下に説明する。
【実施例】
【００１９】
図１に、この考案によるハードディスクのバックアップシステムの構造を開示する。この考案のハードディスクのバックアップシステムは、システム伝送インタフェース２０と、該システム伝送インタフェース２０を介してマザーボード（図示しない）に設けられる中央演算処理装置１０（以下ＣＰＵと称する）に接続するブリッジ制御ユニット２１と、表示及びアラームモジュール２４と、システムディスク３１及びバックアップディスク３２とによってなるハードディスクモジュールを含んでなる。
【００２０】
システム伝送インタフェース２０はＣＰＵ１０とブリッジ制御ユニット２１とに接続する。ブリッジ制御ユニット２１は、２つに分岐した接続ポートを具える。一つはシステムディスク接続ポート２２であって、他の一つはバックアップディスク接続ポート２３である。また、ブリッジ制御ユニット２１は、表示及びアラームモジュール２４に接続する。
【００２１】
該ハードディスクモジュールのシステムディスク３１はシステムディスク接続ポート２２を介してブリッジ制御ユニット２１に接続し、バックアップディスク３２はバックアップディスク接続ポート２３を介してブリッジ制御ユニット２１に接続する。
【００２２】
ＣＰＵ１０がコンピュータシステムのワークを実行すると、バックアップディスク３２にリアルタイムでバックアップするか、もしくはデータを新規作成する。
【００２３】
この考案によるバックアップシステムは、図２に開示するようにシステム伝送インタフェース２０（例えばＩＤＥ、ＳＡＴＡ、もしくはＳＣＳＩインタフェース）を介してマザーボードに接続する。システムを起動すると、ブリッジ制御ユニット２１がシステムディスク３１に接続して、システムディスク３１が正常であるか検査を行う。システムディスク３１に異状があれば、表示及びアラームモジュール２４によってその状態を表示し、ユーザーによるシステムディスクの検査を促す。システムディスク３１が正常な状態にあれば、システムディスクをソースディスクに設定て書き込みを行い、同時にバックアップディスク３２の検査を行う。バックアップディスク３２に異状があれば、表示及びアラームモジュール２４によってその状態を表示し、かつランプ、もしくはブザーなどでアラームを行う。
【００２４】
また、ＣＰＵ１０がコンピュータシステムのワークを実行する場合、ブリッジ制御ユニット２１はシステムディスク３１とバックアップディスク３２との間のデータの差異について随時検査を行い、ミラー技術を応用してバックアップディスク３２を制御し、リアルタイムのバックアップを実行してブリッジ制御ユニット２１にフィールドバックさせ、バックアップディスク３２の自動バックアップ、もしくはデータの新規作成の機能を達成する。
【００２５】
また、ハードディスクモジュールのシステムディスク３１とバックアップディスク３２におけるバックアップ、もしくはデータの新規作成は、２つのハードディスクの間におけるバックアップ、もしくはデータの新規作成に制限することなく、ハードディスクの異なる領域の間のバックアップ、もしくはデータの新規作成であってもよい。ハードディスクの領域分割層面の技術は従来の技術に属するので、ここでは詳述しない。
【００２６】
さらに、この考案においてはシステムを起動した後、システムディスク３１とバックアップディスク３２の状態を自動的に検査し、システムディスク３１、もしくはバックアップディスク３２の異状を感知した場合、ブリッジ制御ユニット２１が他のシステムディスク３１、もしくはバックアップディスク３２に切り換えて正常なワークを継続して行う。また、システムディスク３１、もしくはバックアップディスク３２をリセットし、かつリセットしたシステムディスク３１、もしくはバックアップディスク３２を自動的に検査してバックアップ、またはデータの新規作成を行う。
【００２７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２８】
【図１】この考案によるハードディスクの自動バックアップシステムの構造を示したブロック図である。
【図２】の考案によるハードディスクの自動バックアップシステムの処理のプロセスを示したフローチャートである。
【符号の説明】
【００２９】
１０ 中央演算処理装置
２０ システム伝送インタフェース
２１ ブリッジ制御ユニット
２２ システムディスク接続ポート
２３ バックアップディスク接続ポート
２４ 表示及びアラームモジュール
３１ システムディスク
３２ バックアップディスク
【図１】
0003115082.tif 000003
【図２】
0003115082.tif 000004